(57)【要約】【課題】普段は携行していても邪魔にならないで、持ち運びやすく、雨の日の電車の中などでは、他の乗客に迷惑を掛けないように、濡れている傘に簡単に装着することができる傘カバーを提供する。【解決手段】上下方向に所定の長さを有する円筒状のカバー部と、当該円筒状のカバー部の上端側及び下端側にそれぞれ取り付けられている上部リング体と、下部リング体とを備えている傘カバー。前記上部リング体に長さ調節可能な接続部材を介して係合手段が取り付けられている。前記上部リング体と前記下部リング体とは、ワンタッチで脱着可能なワンタッチ固定構造によって組み合わされ、前記円筒状のカバー部は上下方向に前記所定の長さにわたって伸びる蛇腹構造で、前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容される。【選択図】図５
2019063440.tif 000002
【特許請求の範囲】
【請求項１】
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容される
傘カバー。
【請求項２】
前記上部リング体と前記下部リング体とが組み合わされている状態で、前記下部リング体が前記上部リング体の内側に位置し、上下方向で縮められた前記蛇腹構造の前記円筒状のカバー部は、前記下部リング体の内側に収容される
請求項１記載の傘カバー。
【請求項３】
前記上部リング体と前記下部リング体とが組み合わされている状態で、前記上部リング体と前記下部リング体とが上下に積層される
請求項１記載の傘カバー。
【請求項４】
前記下部リング体の内径が前記上部リング体の内径より小さい請求項３記載の傘カバー。
【請求項５】
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えている請求項１乃至請求項４のいずれか一項に記載の傘カバー。
【請求項６】
すぼませている傘が石突きを先頭にして前記組み合わされている状態の前記上部リング体と前記下部リング体との内側に、前記上下方向における上から下方向に向かって挿入されることで前記傘の外周に前記下部リング体の内径部が装着されて前記下部リング体が前記上部リング体から離れる前記上下方向における下方向に移動して前記上部リング体と前記下部リング体との間の前記ワンタッチ固定構造が解除され、前記上部リング体と前記下部リング体とが上下に離れ、前記上下方向に伸びる前記円筒状のカバー部によって前記傘の外周が覆われる請求項１乃至請求項４のいずれか一項に記載の傘カバー。
【請求項７】
前記係合手段は、前記傘カバーが装着される傘の手元に取り付け、取り外し可能な取り付け具である請求項１乃至請求項６のいずれか一項に記載の傘カバー。
【請求項８】
前記係合手段は、前記傘カバーが装着される傘の手元に取り付け、取り外し可能な取り付け具であり、
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えていて、
すぼませている傘の露先部に当該傘の手元側から緩装した前記組み合わされている状態の前記上部リング体と前記下部リング体の前記露先部側の位置が前記傘の手元に取り付けられている前記取り付け具から伸びる前記長さ調節可能な接続部材の長さによって規定され、
前記ワンタッチ固定構造が備えている前記機構により、ワンタッチで、前記下部リング体が前記上部リング体から離れる前記上下方向における下方向に向かって離脱することで、前記カバー部が前記傘の外周に沿って前記露先部側から前記傘の石突きの側に向かって上下方向に伸び、当該上下方向に伸びた前記カバー部によって前記傘の外周が覆われる請求項１乃至請求項４のいずれか一項に記載の傘カバー。
【発明の詳細な説明】
【技術分野】
【０００１】
この発明は、濡れた傘に外側から被せる傘カバーに関する。特に、普段は携行していても邪魔にならないで、持ち運びやすく、雨の日の電車の中などでは、他の乗客に迷惑を掛けないように、濡れている傘に簡単に装着することができる傘カバーに関する。
【背景技術】
【０００２】
従来から、雨の日の電車の中などで、他の乗客に迷惑を掛けないように、濡れている傘に簡単に装着することを目的にした傘カバーについては種々の提案がされている（特許文献１、２、３）。
【先行技術文献】
【特許文献】
【０００３】
【特許文献１】特開２００１−１２０３２１号公報
【特許文献２】特開２００３−２２５１１０号公報
【特許文献３】特開２０１０−１１５３８７号公報
【発明の概要】
【発明が解決しようとする課題】
【０００４】
この発明は、普段は携行していても邪魔にならないで、持ち運びやすく、雨の日の電車の中などでは、他の乗客に迷惑を掛けないように、濡れている傘に簡単に装着できる傘カバーを提案することを目的にしている。
【課題を解決するための手段】
【０００５】
［１］
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容される
傘カバー。
【０００６】
［２］
前記上部リング体と前記下部リング体とが組み合わされている状態で、前記下部リング体が前記上部リング体の内側に位置し、上下方向で縮められた前記蛇腹構造の前記円筒状のカバー部は、前記下部リング体の内側に収容される
［１］の傘カバー。
【０００７】
［３］
前記上部リング体と前記下部リング体とが組み合わされている状態で、前記上部リング体と前記下部リング体とが上下に積層される
［１］の傘カバー。
【０００８】
［４］
前記下部リング体の内径が前記上部リング体の内径より小さい［３］の傘カバー。
【０００９】
［５］
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えている［１］乃至［４］のいずれかの傘カバー。
【００１０】
［６］
すぼませている傘が石突きを先頭にして前記組み合わされている状態の前記上部リング体と前記下部リング体との内側に、前記上下方向における上から下方向に向かって挿入されることで前記傘の外周に前記下部リング体の内径部が装着されて前記下部リング体が前記上部リング体から離れる前記上下方向における下方向に移動して前記上部リング体と前記下部リング体との間の前記ワンタッチ固定構造が解除され、前記上部リング体と前記下部リング体とが上下に離れ、前記上下方向に伸びる前記円筒状のカバー部によって前記傘の外周が覆われる［１］乃至［４］のいずれかの傘カバー。
【００１１】
［７］
前記係合手段は、前記傘カバーが装着される傘の手元に取り付け、取り外し可能な取り付け具である［１］乃至［６］のいずれかの傘カバー。
【００１２】
［８］
前記係合手段は、前記傘カバーが装着される傘の手元に取り付け、取り外し可能な取り付け具であり、
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えていて、
すぼませている傘の露先部に当該傘の手元側から緩装した前記組み合わされている状態の前記上部リング体と前記下部リング体の前記露先部側の位置が前記傘の手元に取り付けられている前記取り付け具から伸びる前記長さ調節可能な接続部材の長さによって規定され、
前記ワンタッチ固定構造が備えている前記機構により、ワンタッチで、前記下部リング体が前記上部リング体から離れる前記上下方向における下方向に向かって離脱することで、前記カバー部が前記傘の外周に沿って前記露先部側から前記傘の石突きの側に向かって上下方向に伸び、当該上下方向に伸びた前記カバー部によって前記傘の外周が覆われる［１］乃至［４］のいずれかの傘カバー。
【発明の効果】
【００１３】
この発明によれば、普段は携行していても邪魔にならないで、持ち運びやすく、雨の日の電車の中などでは、他の乗客に迷惑を掛けないように、濡れている傘に簡単に装着できる傘カバーを提供することができる。
【図面の簡単な説明】
【００１４】
【図１】この発明の一実施形態に係る傘カバーを表す図であって、（ａ）は上部リング体と下部リング体とが組み合わされている状態を表す側面図、（ｂ）は図１（ａ）図示の状態から、上部リング体と下部リング体との間のワンタッチ固定構造が解除され、下部リング体が上部リング体から離れる方向に移動して上部リング体と下部リング体とが上下に離れ始め、カバー部が上下方向に伸び始めた状態を説明する側面図。
【図２】この発明の他の実施形態に係る傘カバーを表す図であって、（ａ）は上部リング体と下部リング体とが組み合わされている状態を表す側面図、（ｂ）は図２（ａ）図示の状態から、上部リング体と下部リング体との間のワンタッチ固定構造が解除され、下部リング体が上部リング体から離れる方向に移動して上部リング体と下部リング体とが上下に離れ始め、カバー部が上下方向に伸び始めた状態を説明する側面図。
【図３】図２図示の実施形態に係る傘カバーにおいて、カバー部が上下方向に伸びて、すぼませた傘の外周に装着されているときの状態を表す側面図。
【図４】（ａ）この発明の図１図示の実施形態に係る傘カバーを、上部リング体と下部リング体とが組み合わされている状態で、接続部材、係合手段を介して傘の手元（ハンドル部）に係止している状態を説明する図、（ｂ）他の係止状態を説明する一部を省略した図。
【図５】この発明の図２図示の実施形態に係る傘カバーを、すぼませた傘の外周に装着して使用している状態を説明する図。
【発明を実施するための形態】
【００１５】
この実施形態の傘カバー１は、上部リング体２、下部リング体３、カバー部４を備えている。
【００１６】
カバー部４は上下方向（図１（ｂ）の上下方向）に所定の長さを有する円筒状である。図示の実施形態では、図１（ｂ）、図２（ｂ）、図３図示のように、上下方向に所定の長さにわたって伸び、山折れ部４ａ、谷折れ部４ｂが上下方向で交互に存在する蛇腹構造になっている。
【００１７】
カバー部４は、例えば、合成樹脂製の蛇腹構造部材にすることができる。この他にも、上下方向に所定の長さを有する円筒状で、図示したように、山折れ部４ａ、谷折れ部４ｂが上下方向で交互に存在し、図１（ｂ）、図２（ｂ）、図３図示のように、上下方向に伸ばしたり、図１（ａ）、図２（ａ）図示のように上下方向で縮めることが可能な蛇腹構造となるものであれば、種々の材質でカバー部を構成することができる。
【００１８】
なお、この実施形態の傘カバー１は、雨の日の電車の中などで、他の乗客に迷惑を掛けないように、すぼめている状態の、濡れている傘８に装着して使用するもので、図３図示のようにカバー部４が上下方向に伸びた状態のカバー部４の内側に、雨に濡れていて、すぼませた傘が挿入される（図５）。そこで、透水性を有しない材質でカバー部４を構成することが望ましい。
【００１９】
上部リング体２は、カバー部４の上端側に取り付けられている。下部リング体は３、カバー部４の下端側に取り付けられている。上部リング体２、下部リング体３は合成樹脂製あるいは、金属製にすることができる。
【００２０】
上部リング体３には、長さ調節可能な接続部材を介して係合手段７が取り付けられている。図示の実施形態では紐部材５によって接続部材が構成されており、紐部材５の途中に長さ調節手段６が介装されている。この長さ調節手段６により、上部リング体３と係合手段７との間の紐部材５の長さを調節可能になっている。
【００２１】
上部リング体２と下部リング体３とは、ワンタッチで脱着可能なワンタッチ固定構造によって組み合わされる。
【００２２】
例えば、不図示の係合凸部が下部リング体３に、不図示の係合凹部が上部リング体２に備えられていて、下部リング体３の係合凸部を上部リング体２の係合凹部に挿入、係止することで、上部リング体２と下部リング体３とをワンタッチで組み合わせ、上部リング体２に備えられている不図示の押しボタン部を押し込むことで、下部リング体３の係合凸部と上部リング体２の係合凹部との間の係合状態を解除して、ワンタッチで両者を分離する構造などが採用されている。
【００２３】
なお、ワンタッチで上部リング体２と下部リング体３とを分離する構造としては、例えば、上部リング体２の内部に、図１図示の上下方向で付勢力を発揮するスプリングのような弾性部材を内装しておき、上述したように、上部リング体２に備えられている不図示の押しボタン部を押し込むことで、下部リング体３の係合凸部と上部リング体２の係合凹部との間の係合状態を解除した際に、弾性部材の付勢力によって、組み合わされている状態の上部リング体２と下部リング体３から、ワンタッチで、下部リング体３が上部リング体２から離れる方向（図１（ｂ）、図２（ｂ）の下方向）に向かって離脱する機構を採用することができる。
【００２４】
また、ワンタッチで両者を分離する構造の一例として、傘８が石突き９を先頭にして組み合わされている状態の上部リング体２と下部リング体３との内側に、上から下方向に向かって挿入されることで、すぼませている傘８の外周に下部リング体３の内径部３ａが装着されて下部リング体３が上部リング体２から離れる方向に移動して上部リング体２と下部リング体３との間の上述したワンタッチ固定構造（例えば、下部リング体３の係合凸部と上部リング体２の係合凹部との間の係合で組み合わされるワンタッチ固定構造）が解除される構造にすることもできる。
【００２５】
傘カバー１の上部リング体３と、紐部材５、長さ調節手段６を介してつながっている係合手段７は、図４に示したように、傘８の手元（ハンドル部）１０などの部材に対して取り付け、取り外し可能な取り付け具にすることができる。雨の降る日などには、係合手段７を図４（ａ）図示のように、傘８の手元（ハンドル部）１０に取り付けて、傘８と共に、傘カバー１を携行することができる。
【００２６】
傘８の手元（ハンドル部）１０に取り付けた係合手段７と上部リング体３との間の紐部材５の長さは、上述したように、長さ調節手段６によって調節できる。そこで、雨の中で傘８をさして使用しているときに、ワンタッチで脱着可能なワンタッチ固定構造によって上部リング体２と下部リング体３とが組み合わされている状態の傘カバー１を、図４（ｂ）図示のように、傘８の手元（ハンドル部）１０に緩装させておくこともできる。
【００２７】
この実施形態の傘カバー１では、図１（ａ）、図２（ａ）図示のように、上部リング体２と下部リング体３とが組み合わされている状態で、上下方向で縮められた蛇腹構造の円筒状のカバー部４が、組み合わされている上部リング体２及び、下部リング体３の内側に収容される。
【００２８】
図１（ａ）図示の状態では、上部リング体２と下部リング体３とが組み合わされている状態で、下部リング体３が上部リング体２の内側に位置し、上下方向で縮められた蛇腹構造の円筒状のカバー部４は、下部リング体３の内側に収容されることで、上部リング体２と下部リング体３とが組み合わされている状態で、上下方向で縮められた蛇腹構造の円筒状のカバー部４が、組み合わされている上部リング体２及び、下部リング体３の内側に収容される形態になっている。
【００２９】
図２（ａ）図示の実施形態は、上部リング体２と下部リング体３とが組み合わされている状態で、上部リング体２と下部リング体３とが上下に積層される構造になるものである。
【００３０】
この場合も、上部リング体２と下部リング体３とが組み合わされている状態（図２（ａ））で、上下方向で縮められた蛇腹構造の円筒状のカバー部４が、組み合わされている上部リング体２及び、下部リング体３の内側に収容される形態になる。
【００３１】
いずれにしても、図１（ａ）、図２（ａ）図示のように、上部リング体２と下部リング体３とが組み合わされている状態で、上下方向で縮められた蛇腹構造の円筒状のカバー部４が、組み合わされている上部リング体２及び、下部リング体３の内側に収容される構造である。そこで、この状態の傘カバー１を、例えば、図４（ｂ）図示のように、接続部材５、係合手段６を介して傘８の手元（ハンドル部）９に係止する、等、傘カバー１を携行する際に優れた構造になっている。
【００３２】
上述したように、紐部材５の途中に長さ調節手段６を介装して、上部リング体３と係合手段６との間の紐部材５の長さを調節可能にして、種々の部材の任意の位置に傘カバー１を係止することで、携帯する際に便利な傘カバー１を提供することができる。
【００３３】
図１図示の実施形態の場合、上部リング体２と下部リング体３とが組み合わされている状態で、下部リング体３が上部リング体２の内側に位置するので、下部リング体３の内径は、上部リング体２の内径より小さい。
【００３４】
図２図示の実施形態のように、上部リング体２と下部リング体３とが組み合わされている状態で、上部リング体２と下部リング体３とが上下に積層される構造であっても、下部リング体３の内径Ｒ２が、上部リング体２の内径Ｒ１より小さい構造にすることができる。
【００３５】
前述したように、すぼませている傘８が石突き９を先頭にして組み合わされている状態の上部リング体２と下部リング体３との内側に、上から下方向に向かって挿入されることで、すぼませている傘８の外周に下部リング体３の内径部３ａが装着されて下部リング体３が上部リング体２から離れる方向に移動して上部リング体２と下部リング体３との間の上述したワンタッチ固定構造（例えば、下部リング体３の係合凸部と上部リング体２の係合凹部との間の係合で組み合わされるワンタッチ固定構造）が解除される構造を採用する場合、下部リング体３の内径Ｒ２が、上部リング体２の内径Ｒ１より小さい構造であると有利である。
【００３６】
図４（ｂ）図示のように、雨の中で傘８をさして使用しているときに、ワンタッチで脱着可能なワンタッチ固定構造によって上部リング体２と下部リング体３とが組み合わされている状態の傘カバー１を、傘８の手元（ハンドル部）１０に緩装させて携行し、電車などに乗る、等で、傘カバー１によって、すぼませた傘８の外周を図５図示のように覆うときには次のようにすることができる。
【００３７】
この場合、上部リング体２と下部リング体３とを組み合わせているワンタッチで脱着可能なワンタッチ固定構造として、組み合わされている状態の上部リング体２と下部リング体３から、ワンタッチで、下部リング体３が、上下方向において、上部リング体２から離れる下側方向に向かって離脱する機構を備えているものにすると有利である。
【００３８】
例えば、上部リング体２の内部に、図１図示の上下方向で付勢力を発揮するスプリングのような弾性部材が内装されていて、上部リング体２に備えられている不図示の押しボタン部を押し込むことで、下部リング体３の係合凸部と上部リング体２の係合凹部との間の係合状態を解除した際に、弾性部材の付勢力によって、組み合わされている状態の上部リング体２と下部リング体３から、ワンタッチで、下部リング体３が、上下方向において、上部リング体２から離れる下側方向に向かって弾性部材の付勢力で付勢されつつ離脱する機構である。
【００３９】
図４（ｂ）図示のように、傘８の手元（ハンドル部）１０に緩装されている傘カバー１を、すぼませている傘８の露先部１１に傘８の手元（ハンドル部）１０側から緩装する。
【００４０】
この時、傘８の手元（ハンドル部）１０に対して取り付け、取り外し可能な取り付け具からなる係合手段７は、傘８の手元（ハンドル部）１０に取り付けられていることで位置が固定されている。そして、紐部材５の途中に介装されている長さ調節手段６により、傘カバー１の上部リング体２と係合手段７との間の紐部材５の長さを調節することで、すぼませている傘８の露先部１１に手元（ハンドル部）１０側から緩装した、組み合わされている状態の上部リング体２と下部リング体３の露先部１０側の位置が、傘８の手元（ハンドル部）１０に取り付けられている係合手段７伸びる紐部材５の長さによって規定される。
【００４１】
この状態で、上述したワンタッチ固定構造が備えている機構により、ワンタッチで、下部リング体３が上部リング体２から離れる上下方向における下方向に向かって離脱することで、カバー部４が傘８の外周に沿って露先部１１側から傘８の石突き９の側に向かって上下方向に伸び、上下方向に伸びたカバー部４によって傘８の外周が覆われる（図５）。
【００４２】
このように、傘カバー１のカバー部４によって、すぼませた傘８の外周を図５図示のように覆おうとする場合、傘８の手元（ハンドル部）１０に対して取り付け、取り外し可能な取り付け具からなる係合手段７と、すぼませている傘８の露先部１１に手元（ハンドル部）１０側から緩装した、上部リング体２と下部リング体３とを組み合わせた状態からなる傘カバー１の露先部１１側の位置が長さ調節手段６によって長さ調節された紐部材５の長さによって規定されており、更に、ワンタッチで、下部リング体３が上部リング体２から離れる上下方向における下方向に向かって離脱し、カバー部４が傘８の外周に沿って露先部１１側から傘８の石突き９の側に向かって上下方向に伸び、上下方向に伸びたカバー部４によって傘８の外周を覆うことができる。
【００４３】
そこで、持ち運びやすく、雨の日の電車の中などでは、他の乗客に迷惑を掛けないように、濡れている傘８に簡単に装着することができる傘カバー１を提供することができる。
【００４４】
以上、添付図面を参照して本発明の好ましい実施形態を説明したが、本発明は、上述した実施形態に限られることなく、特許請求の範囲の記載から把握される技術的範囲において種々に変更可能である。
【符号の説明】
【００４５】
１    傘カバー
２    上部リング体
３    下部リング体
４    カバー部
４ａ  山折れ部
４ｂ  谷折れ部
５    紐部材
６    長さ調節手段
７    係合手段
８    傘
９    石突き
１０  手元（ハンドル部）
１１  露先部
【図１】
2019063440.tif 000003
【図２】
2019063440.tif 000004
【図３】
2019063440.tif 000005
【図４】
2019063440.tif 000006
【図５】
2019063440.tif 000007
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して前記傘カバーが装着される傘の手元に取り付け、取り外し可能な係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容され、
すぼませている傘が石突きを先頭にして、前記上部リング体と前記下部リング体とが組み合わされている状態の前記上部リング体と前記下部リング体との内側に、前記上下方向における上から下方向に向かって挿入された際に、
前記上部リング体の位置が前記傘の手元に取り付けられている前記係合手段から伸びる前記長さ調節可能な接続部材の長さによって規定され、
前記傘の外周に前記下部リング体の内径部が装着されて前記下部リング体が前記上部リング体から離れる前記上下方向における下方向に移動して前記上部リング体と前記下部リング体との間の前記ワンタッチ固定構造が解除され、
前記上部リング体と前記下部リング体とが上下に離れ、前記上下方向に伸びる前記円筒状のカバー部によって前記傘の外周が覆われる
傘カバー。
【請求項２】
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して前記傘カバーが装着される傘の手元に取り付け、取り外し可能な係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容され、
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えていて、
すぼませている傘の露先部に当該傘の手元側から緩装した前記組み合わされている状態の前記上部リング体と前記下部リング体の前記露先部側の位置が前記傘の手元に取り付けられている前記係合手段から伸びる前記長さ調節可能な接続部材の長さによって規定され、
前記ワンタッチ固定構造が備えている前記機構により、ワンタッチで、前記下部リング体が前記上部リング体から離れる前記上下方向における下方向に向かって離脱することで、前記カバー部が前記傘の外周に沿って前記露先部側から前記傘の石突きの側に向かって上下方向に伸び、当該上下方向に伸びた前記カバー部によって前記傘の外周が覆われる
傘カバー。
【請求項３】
前記上部リング体と前記下部リング体とが組み合わされている状態で、前記下部リング体が前記上部リング体の内側に位置し、上下方向で縮められた前記蛇腹構造の前記円筒状のカバー部は、前記下部リング体の内側に収容される
請求項１又は２記載の傘カバー。
【請求項４】
前記上部リング体と前記下部リング体とが組み合わされている状態で、前記上部リング体と前記下部リング体とが上下に積層される
請求項１又は２記載の傘カバー。
【手続補正２】
【補正対象書類名】明細書
【補正対象項目名】０００５
【補正方法】変更
【補正の内容】
【０００５】
［１］
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して前記傘カバーが装着される傘の手元に取り付け、取り外し可能な係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容され、
すぼませている傘が石突きを先頭にして、前記上部リング体と前記下部リング体とが組み合わされている状態の前記上部リング体と前記下部リング体との内側に、前記上下方向における上から下方向に向かって挿入された際に、
前記上部リング体の位置が前記傘の手元に取り付けられている前記係合手段から伸びる前記長さ調節可能な接続部材の長さによって規定され、
前記傘の外周に前記下部リング体の内径部が装着されて前記下部リング体が前記上部リング体から離れる前記上下方向における下方向に移動して前記上部リング体と前記下部リング体との間の前記ワンタッチ固定構造が解除され、
前記上部リング体と前記下部リング体とが上下に離れ、前記上下方向に伸びる前記円筒状のカバー部によって前記傘の外周が覆われる
傘カバー。
【手続補正３】
【補正対象書類名】明細書
【補正対象項目名】０００６
【補正方法】変更
【補正の内容】
【０００６】
［２］
上下方向に所定の長さを有する円筒状のカバー部と、当該円筒状のカバー部の上端側及び下端側にそれぞれ取り付けられている上部リング体と、下部リング体とを備えている傘カバーであって、
前記上部リング体に長さ調節可能な接続部材を介して前記傘カバーが装着される傘の手元に取り付け、取り外し可能な係合手段が取り付けられており、
前記上部リング体と前記下部リング体とは、ワンタッチで脱着可能なワンタッチ固定構造によって組み合わされ、
前記円筒状のカバー部は上下方向に前記所定の長さにわたって伸びる蛇腹構造で、
前記上部リング体と前記下部リング体とが組み合わされている状態で、上下方向で縮められた前記蛇腹構造の前記円筒状のカバー部が、前記組み合わされている前記上部リング体及び、前記下部リング体の内側に収容され、
前記ワンタッチ固定構造は、前記組み合わされている状態の前記上部リング体と前記下部リング体から、ワンタッチで、前記下部リング体が、前記上下方向において、前記上部リング体から離れる下側方向に向かって離脱する機構を備えていて、
すぼませている傘の露先部に当該傘の手元側から緩装した前記組み合わされている状態の前記上部リング体と前記下部リング体の前記露先部側の位置が前記傘の手元に取り付けられている前記係合手段から伸びる前記長さ調節可能な接続部材の長さによって規定され、
前記ワンタッチ固定構造が備えている前記機構により、ワンタッチで、前記下部リング体が前記上部リング体から離れる前記上下方向における下方向に向かって離脱することで、前記カバー部が前記傘の外周に沿って前記露先部側から前記傘の石突きの側に向かって上下方向に伸び、当該上下方向に伸びた前記カバー部によって前記傘の外周が覆われる
傘カバー。
【手続補正４】
【補正対象書類名】明細書
【補正対象項目名】０００７
【補正方法】変更
【補正の内容】
【０００７】
［３］
前記上部リング体と前記下部リング体とが組み合わされている状態で、前記下部リング体が前記上部リング体の内側に位置し、上下方向で縮められた前記蛇腹構造の前記円筒状のカバー部は、前記下部リング体の内側に収容される
［１］又は［２］の傘カバー。
【手続補正５】
【補正対象書類名】明細書
【補正対象項目名】０００８
【補正方法】変更
【補正の内容】
【０００８】
［４］
前記上部リング体と前記下部リング体とが組み合わされている状態で、前記上部リング体と前記下部リング体とが上下に積層される
［１］又は［２］の傘カバー。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】